(57)【要約】  【課題】  ある周波数帯について故障などの対策が必要の場合に、他の周波数帯に影響を与えず、対処することができるＲＦ合成分配装置を提供する。  【解決手段】  本発明のＲＦ合成分配装置２６０において、周波数モジュール２１０，２２０，２３０は、それぞれが扱う周波数帯AMHz,BGHz,CGHzごとに構成されているので、故障や入れ替え並びに除去などの対策が必要になった場合に、他の周波数帯の周波数モジュールに影響を与えること無しに、独立して故障対策、入れ替え、取り除きなどを行なうことができる。また、周波数モジュールは、ＲＦ合成分配装置２６０に取り外し自在に収納されているので、その着脱が容易である。さらに、接続部２５０，２５１，２５２は、各周波数モジュールが扱う送信信号および受信信号に対して合成分配をおこなうので、扱う送信信号および受信信号をＥ／ＯおよびＯ／Ｅの配置に最適に適合させることができる。  【選択図】  図２
2006352692.tif 000002
【特許請求の範囲】
【請求項１】
複数の周波数帯のアナログ無線信号を双方向に伝送するために、親局と子局との間を電気・光変換器、光ケーブル、光・電気変換器で接続し、各周波数帯に対応する送信信号処理回路および受信信号処理回路を用いる光伝送装置用のＲＦ合成分配装置であって、
扱う周波数帯が同じである送信信号処理回路および受信信号処理回路の適宜な数を一緒に組み込んだ周波数モジュールと、
各周波数モジュールと取り外し自在に結合し、結合された各周波数モジュールが扱う送信信号と受信信号とをそれぞれが対応する電気・光変換器および光・電気変換器を経由して相手側と授受できるように合成分配する接続手段とを有するＲＦ合成分配装置。
【発明の詳細な説明】
【技術分野】
【０００１】
本発明は、複数の周波数帯のアナログ無線信号を双方向に伝送するために、親局と子局との間を電気・光変換器、光ケーブル、光・電気変換器で接続し、各周波数帯に対応する送信信号処理回路および受信信号処理回路を用いる光伝送装置用のＲＦ合成分配装置に関する。
【背景技術】
【０００２】
従来、この種のＲＦ合成分配装置は、基地局からトンネル内やビル内などの不感地帯の携帯電話（移動局）に対するサービスを可能にする通信システムにおける親局または子局の光伝送装置に用いられる。この種のＲＦ合成分配装置は、例えば、図５に示されるように、各周波数帯（８００ＭＨｚ，１．５ＧＨｚ，２ＧＨｚ）の送信信号処理回路の信号をブランチラインカプラ等で構成された合成分配器５５０で合成し、電気・光変換器５４０（Ｅ／Ｏ５４０）から送信用光ケーブルを経由して相手側に伝送する。また、受信用光ケーブルからの受信信号を光・電気変換器５４１，５４２，５４３，５４４（Ｏ／Ｅ５４１，５４２，５４３，５４４）を経由してアナログＲＦ信号として受け取り、合成分配器５５１，５５２で合成した後に、各周波数の受信信号にするように受信信号処理回路に分配する。なお、類似の技術が下記の特許文献に開示されている。
【特許文献１】特開２０００−１８０４８３号公報
【発明の開示】
【発明が解決しようとする課題】
【０００３】
しかし、上述の従来のＲＦ合成分配装置においては、事前に定められた複数の周波数帯を全て扱えるような仕様となっており、入力された各周波数帯の信号を同じユニット（基板）の中で合成などしているので、ある周波数のサービスが必要無い場合でも、その周波数帯の信号処理回路は基板上に残ってしまい、無駄な電力を消費している。また、新しい周波帯へ移行する場合や、ある周波数帯のみの故障に対処する場合にＲＦ合成分配装置の全体を入れ替えなければならないという問題もある。
【０００４】
本発明は、上述した問題点を解決するためになされたものであり、ある周波数帯について故障や入れ替え並びに除去などの対策が必要になった場合に、他の周波数帯には影響を与えずに、対策が必要になった周波数帯についてのみ対処することができるＲＦ合成分配装置を提供することを目的とする。
【課題を解決するための手段】
【０００５】
上述した課題を解決するため、本発明に係るＲＦ合成分配装置は、
複数の周波数帯のアナログ無線信号を双方向に伝送するために、親局と子局との間を電気・光変換器、光ケーブル、光・電気変換器で接続し、各周波数帯に対応する送信信号処理回路および受信信号処理回路を用いる光伝送装置用のＲＦ合成分配装置であって、
扱う周波数帯が同じである送信信号処理回路および受信信号処理回路の適宜な数を一緒に組み込んだ周波数モジュールと、
各周波数モジュールと取り外し自在に結合し、結合された各周波数モジュールが扱う送信信号と受信信号とをそれぞれが対応する電気・光変換器および光・電気変換器を経由して相手側と授受できるように合成分配する接続手段とを有する。
【発明の効果】
【０００６】
以上に詳述したように本発明によれば、周波数モジュールは、それぞれが扱う周波数帯ごとに構成されているので、故障や入れ替え並びに除去などの対策が必要になった場合に、他の周波数帯の周波数モジュールに影響を与えること無しに、故障対策、入れ替え、取り除きなどを行なうことができる。また、周波数モジュールは、モジュール収納装置に取り外し自在に収納されているので、その着脱が容易である。このような場合、接続部は、各周波数モジュールが扱う送信信号および受信信号に対して抵抗体による合成分配をおこなうように構成すれば、比較的容易に扱う送信信号および受信信号の周波数帯による影響を小さくできる。
【発明を実施するための最良の形態】
【０００７】
以下、本発明の実施の形態について図面を参照しつつ説明する。図１は、この発明のＲＦ合成分配装置の実施の形態１が用いられている光伝送装置を示すブロック図、図２は、この発明のＲＦ合成分配装置をより実際の形に近づけた実施の形態２を示す構成図、図３は、図２のＲＦ合成分配装置の変形例である実施の形態３を示す構成図である。図４は、図３のＲＦ合成分配装置に用いられている抵抗分割方式の合成分配器を示す回路図である。
【０００８】
図１で示される光伝送装置１００における親局１０１のＲＦ合成分配装置は、不図示の基地局に接続される周波数ユニット１１０，１２０と、Ｅ／Ｏ１４０と、Ｏ／Ｅ１４１，１４２，１４３と、光カプラ１５０（光ＣＰＬ１５０）と、これらを接続する接続部１３０とを含んでいる。子局１０２のＲＦ合成分配装置は、不図示のアンテナに接続される周波数ユニット１６０，１７０と、Ｏ／Ｅ１９０と、Ｅ／Ｏ１９１とを含んでいる。この場合、これらの周波数ユニット１１０，１２０，１６０，１７０のそれぞれは、単一の周波数帯を扱う独立したモジュールとして構成されている。したがって、例えば、周波数ユニット１１０が扱っている周波数が他の周波数に変更になった場合、周波数ユニット１１０の代わりに変更になった周波数を扱う周波数ユニットに差し替えることにより、容易に対応することができる。ある周波数ユニットに故障が発生した場合なども同様である。
【０００９】
次に、図２で示される親局２００でＲＦ合成分配装置２６０が使用される場合について説明する。親局２００は、ＲＦ合成分配装置２６０や電源ユニットなどのユニットから構成されている。ＲＦ合成分配装置２６０は、親局２００内で、光伝送する送信信号及び受信信号を電気信号として扱う部分に相当し、接続部と、それに取り外し自在に結合（挿着）されたＡＭＨｚ用の周波数モジュール２１０と、ＢＭＨｚ用の周波数モジュール２２０と、ＣＭＨｚ用の周波数モジュール２３０とから構成されている。ＡＭＨｚ用の周波数モジュール２１０は、周波数ＡＭＨｚ帯の送信信号を処理するための送信信号処理回路２１１と、周波数ＡＭＨｚ帯の受信信号を処理するための受信信号処理回路２１２，２１３と、電源供給手段２１９とを有している。
【００１０】
上記の場合と同様に、ＢＭＨｚ用の周波数モジュール２２０は、周波数ＢＨｚの送信信号を処理するための送信信号処理回路２２１と、周波数ＢＭＨｚの受信信号を処理するための受信信号処理回路２２２，２２３と、電源回路２２９とを有し、ＣＭＨｚ用の周波数モジュール２３０は、周波数ＣＭＨｚの送信信号を処理するための送信信号処理回路２３１と、周波数ＣＭＨｚの受信信号を処理するための受信信号処理回路２３２，２３３と、電源回路２３９とを有している。
各受信信号処理回路は、入力された受信信号がただちに接続されるフィルタを供え、当該周波数モジュールが処理すべき周波数以外に対して入力インピーダンスがなるべく無限大になるように構成される。
【００１１】
接続部は、レベル調整器２５０と、合成分配器２５１，２５２と、送信信号（下り信号）用に１本、受信信号（上り信号）用に２本の接続ラインとから構成されている。レベル調整器２５０は、接続ラインにより送信信号処理回路２１１，２２１，２３１の出力が合成された信号をレベル調整して電気・光変換ユニット２４０（Ｅ／Ｏユニット２４０と略記する）に引き渡す。合成分配器２５１は、光・電気変換ユニット２４１，２４２（Ｏ／Ｅユニット２４１，２４２）からの受信信号を合成し、合成分配器２５２は、Ｏ／Ｅユニット２４３，２４４からの受信信号を合成する。合成された信号は、それぞれ接続ラインにより、受信信号処理回路２１３，２２３，２３３へ接続される。
【００１２】
Ｅ／Ｏ２４０は、図１の１４０及び１５０に相当し、Ｅ／Ｏ変換した送信信号（親局の場合、下り信号）を複数の下り光ケーブル（不図示）を経由して送信する。Ｏ／Ｅユニット２４１，２４２は、複数のＯ／Ｅを内蔵し、Ｅ／Ｏ変換された受信信号（親局の場合、上り信号）を複数の上り光ケーブル（不図示）経由で受信し、それぞれＯ／Ｅ変換してから合成するか、光信号のまま合成後、一括してＯ／Ｅ変換したものを合成分配器２５１に引き渡す。Ｏ／Ｅ２４３，２４４は、Ｅ／Ｏ変換された受信信号（親局の場合、上り信号）を同様に受信用光ケーブル経由で受信して合成分配器２５２に引き渡す。
【００１３】
ＲＦ合成分配器２６０は、上述したように構成されているので、周波数モジュール２１０，２２０，２３０のうちのいずれかが差し替えを必要とされても、モジュール単位で差し替えが容易に実行できる。なお、上記の説明では、ＲＦ合成分配器２００は、親局に使用されるものとして説明したが、子局にも同様に使用することができることはいうまでもない。
【００１４】
次に、図３を参照しつつＲＦ合成分配装置の実施の形態３について説明する。図３で示されるＲＦ合成分配装置は、当該ユニット本体である母基板３６０と、母基板３６０上に取り外し自在に挿着されたＡＭＨｚ用の周波数モジュール３１０と、ＢＭＨｚ用の周波数モジュール３２０と、ＣＭＨｚ用の周波数モジュール３３０とから構成されている。周波数モジュール３１０，３２０，３３０は、電源用のコネクタ３１９，３２９，３３９を除けば、図２の周波数モジュール２１０，２２０，２３０と同じように構成されている。
【００１５】
図３の例におけるコネクタ３１９，３２９，３３９は、各周波数モジュールに母基板３６０より電源を供給するものであり、モジュールの脱着を容易にするためにプッシュオン形式になっており、母基板に対して面方向の動きにより着脱できる。なお、送信信号及び受信信号の母基板３６０との接続もプッシュオン形式の同軸コネクタを用いるとよい。また、接続手段として機能する母基板３６０は、レベル調整器２５０と、合成分配器２５１，２５２と、接続ラインとに加えて、周波数モジュール３１０，３２０，３３０との間で直接的に合成分配を行なう合成分配器３５０，３５１，３５２とを搭載している。この場合、合成分配器３５０，３５１，３５２は、どのような周波数にも対応できるように図４に示すような抵抗分割方式を採用している。具体的な抵抗値としては、Ｒ１＝Ｒ２＝２５ΩまたはＲ１＝２８Ω，Ｒ２＝０Ωが考えられる。また、合成分配器２５１，２５２も抵抗分割により構成してもよく、合成分配器２５１と３５１を一体で抵抗体により構成してもよい。
【００１６】
なお、上述の図１ないし図３で示される周波数モジュールは、入れ替えが容易になるように寸法が統一されている。上述の例から明らかなように、送信処理回路および受信処理回路が処理する周波数ごとにモジュール化されているので、使用しない周波数を処理する送信処理回路および受信処理回路に無駄な電力を消費することが無く、使用する周波数に変更があった場合やある周波数にのみ事故が発生したような場合に柔軟かつ容易に対応できる。
【図面の簡単な説明】
【００１７】
【図１】この発明のＲＦ合成分配装置の実施の形態１が用いられている光伝送装置を示すブロック図である。
【図２】この発明のＲＦ合成分配装置をより実際の形に近づけた親局の実施の形態２を示すブロック図である。
【図３】図２のＲＦ合成分配装置の変形例である親局の実施の形態３を示す構成図である。
【図４】図３の合成分配器ＲＦ合成分配装置に用いられている合成分配器を示す回路図である。
【図５】ＲＦ合成分配装置（親局用）の従来例を示す構成図である。
【符号の説明】
【００１８】
１０１  親局、１０２  子局、１１０，１２０，１６０，１７０  周波数ユニット、１４０，１９１，２４０  Ｅ／Ｏ、１４１，１４２，１４３，１９０，２４１，２４２，２４３，２４４  Ｏ／Ｅ、１５０  光ＣＰＬ、２００  親局、２１０，２２０，２３０  周波数モジュール、２１１，２２１，２３１  送信信号処理回路、２１２，２１３，２２２，２２３，２３２，２３３  受信信号処理回路、２５０  レベル調整器、２５１，２５２，３５０，３５１，３５２  合成分配器、２６０，３６０  ＲＦ合成分配装置。
【図１】
2006352692.tif 000003
【図２】
2006352692.tif 000004
【図３】
2006352692.tif 000005
【図４】
2006352692.tif 000006
【図５】
2006352692.tif 000007